(57)【特許請求の範囲】
【請求項１】
上枠及び底板と、該上枠及び底板に対してそれぞれ回動可能に取付けられ、かつ、連結部にて内側へ折曲がるように連結した上下一対の側板と、前記上枠に対して回動可能に取付けられたあおり板とで構成した折畳みコンテナにおいて、前記上枠に形成されている下方が開口した袋形状部の天板と縦リブとの交点部分に、袋形状部内と外部とを連通する水抜き孔を設けたことを特徴とする折畳みコンテナ。
【請求項２】
前記天板の内面に、前記水抜き孔に向かう水勾配を設けたことを特徴とする請求項１記載の折畳みコンテナ。
【請求項３】
前記上枠に取付けられる上部側板の上縁フランジ部に、前記袋形状部に連通する切欠きを設けたことを特徴とする請求項１記載の折畳みコンテナ。
【発明の詳細な説明】
【０００１】
【発明の属する技術分野】
本発明は、折畳みコンテナに関し、詳しくは、各種物品を収容・保管・輸送・運搬するために用いられる折畳みコンテナにおける洗浄後の水切りを効率よく行うため構造の関する。
【０００２】
【従来の技術】
従来から、折畳みコンテナとして、上枠及び底板と、上枠及び底板に対してヒンジ部でそれぞれ回動可能に取付けられ、かつ、連結部にて内側へ折曲がるように連結された上下一対の側板と、上枠に対して回動可能に取付けられた一対のあおり板とにより形成されたものが知られている。
【０００３】
このような折畳みコンテナは、折畳まれた状態で上枠を上方に持上げ、両側板の連結部を伸ばした状態にした後、両あおり板を両側板間に立てることにより箱状に組立てることができ、逆に両あおり板を上枠に対して内方に回動させた後、両側板の連結部を内方に折曲げることにより折畳むことができる。
【０００４】
また、前記上枠や底板等の各部材は、これらの剛性を確保するため、様々な形状のリブ構造やフランジ構造に形成されている。例えば、上枠は、天板の内外に内壁と外壁とをそれぞれ下方に突出させて下方が開口したコ字状断面に形成するとともに、その内部に補強用の縦リブを複数設けている。
【０００５】
【発明が解決しようとする課題】
したがって、上枠には、天板、内外壁及び縦リブに囲まれた下方のみが開口する小さな袋形状部が形成されることになる。このため、コンテナを洗浄した後、この袋形状部内に洗浄水が残り易く、使用中に水がたれて収納した物品を濡らすことがあった。また、エアを吹き付けて水を飛ばしたり、蒸発させたりする場合、上部側板の上縁に設けられているフランジ部が袋形状部の開口を塞ぐ状態になっているため、袋形状部の内部に十分にエアを供給することができなかった。このため、水切り乾燥を含めた洗浄作業に長時間を要するだけでなく、洗浄後のコンテナをすぐに使用することができなかった。
【０００６】
そこで本発明は、上枠の袋形状部内に残る洗浄水を効率よく排出することができる構造を備えた折畳みコンテナを提供することを目的としている。
【０００７】
【課題を解決するための手段】
上記目的を達成するため、本発明の折畳みコンテナは、上枠及び底板と、該上枠及び底板に対してそれぞれ回動可能に取付けられ、かつ、連結部にて内側へ折曲がるように連結した上下一対の側板と、前記上枠に対して回動可能に取付けられたあおり板とで構成した折畳みコンテナにおいて、前記上枠に形成されている下方が開口した袋形状部の天板と縦リブとの交点部分に、袋形状部内と外部とを連通する水抜き孔を設けたことを特徴としている。
【０００８】
さらに、本発明の折畳みコンテナは、前記天板の内面に、前記水抜き孔に向かう水勾配を設けたこと、前記上枠に取付けられる上部側板の上縁フランジ部に、前記袋形状部に連通する切欠きを設けたことを特徴としている。
【０００９】
【発明の実施の形態】
図１は本発明の折畳みコンテナの一形態例を示す斜視図、図２は上枠の要部を示す平面図、図３は図２のＩＩＩ−ＩＩＩ線断面図、図４は上枠と上部側板とを示す要部の縦断面図である。
【００１０】
この折畳みコンテナ１は、上枠２及び底板３と、上枠２及び底板３に対してヒンジ部４，５でそれぞれ回動可能に取付けられ、かつ、連結部６にて内側へ折れ曲がるように連結された上下一対の側板７，８と、上枠２に対して回動可能に取付けられた一対のあおり板９とにより形成されている。なお、一般的な折畳みコンテナでは、コンテナの上部開口を開閉可能に覆う一対の蓋板がヒンジを介して上枠２に取付けられているが、本形態例では、これらの図示や説明は省略する。
【００１１】
上記折畳みコンテナ１は、図１に示す組立て状態から両あおり板９を内方に回動させた後、両側板７，８の連結部６を内方に折曲げるようにすることにより折畳むことができ、折畳まれた状態で上枠２を上方に持上げ、両側板７，８の連結部６を伸ばした状態にした後、両あおり板９を両側板７，８間に立てることにより、箱状に組立てることができる。コンテナを組立てた状態では、あおり板９の両側縁部が側板７，８の内面に接して側板７，８の連結部６を内部側から押圧し、側板７，８を所定の状態に保持するように形成されている。
【００１２】
前記上枠２は、図２乃至図４に示すように、天板１０と、天板１０の幅方向内部側から垂下した内壁１１と、同じく外部側から垂下した外壁１２とにより下方が開口したコ字状断面に形成されるとともに、その内部に、上枠長手方向に適当な間隔で補強用の縦リブ１３が複数設けられており、天板１０，内部壁１１，外部壁１２及び両側の縦リブ１３，１３により囲まれて下方にのみ開口する袋形状部１４が、上枠長手方向に複数形成された状態になっている。
【００１３】
そして上枠２の天板１０には、前記縦リブ１３に対応した位置に，前記袋形状部１４内と外部とを連通させる水抜き孔１５が設けられている。この水抜き孔１５は、天板１０と縦リブ１３との交点部分に設けられており、縦リブ１３を挟んで隣接する両側の袋形状部１４の隅角部にそれぞれ開口した状態になっている。さらに、天板１０の下面は、袋形状部１４の両側の縦リブ１３間を頂点として両側の水抜き孔１５の方向に向かってそれぞれ上り勾配となる水勾配１６が設けられている。
【００１４】
このように形成することにより、コンテナ１の洗浄を行った後、コンテナ１を逆さにして上枠２を下に向けることにより、袋形状部１４内の水を前記水抜き孔１５から排出することができる。特に、前記水勾配１６を設けることにより、袋形状部１４内の水を水抜き孔１５方向に流すことができ、効果的な排水を行うことができる。
【００１５】
また、図４に示すように、袋形状部１４の開口を塞ぐ状態で設けられている上部側板７の上縁フランジ部１７ａ，１７ｂに、袋形状部１４内に連通する切欠き１８ａ，１８ｂを設けておくことにより、この切欠き１８ａ，１８ｂから袋形状部１４内に乾燥用のエアを直接吹き付けて水を飛ばすことができるので、袋形状部１４内の水を確実に排除することができる。さらに、水が溜まり易い隅角部に水抜き孔１５を設けているので、エアの通りが良好になり、効率よく短時間で水切りを行うことができる。
【００１６】
なお、蓋板を有する一般的な折畳みコンテナでは、蓋板を閉じたときに上枠上面が蓋板によって覆われた状態になるので、上枠２の天板１０部分に設けた水抜き孔１５も蓋板によって覆われることになる。
【００１７】
【発明の効果】
以上説明したように、本発明の折畳みコンテナによれば、洗浄後の水切りを効率よく行えるので、コンテナの洗浄作業を短時間で終了させることができるとともに、洗浄後に速やかにコンテナを使用することができる。
【図面の簡単な説明】
【図１】本発明の折畳みコンテナの一形態例を示す斜視図である。
【図２】上枠の要部を示す平面図である。
【図３】図２のＩＩＩ−ＩＩＩ線断面図である。
【図４】上枠と上部側板とを示す要部の縦断面図である。
【符号の説明】
１…折畳みコンテナ、２…上枠、３…底板、４，５…ヒンジ部、６…連結部、７…上部側板、８…下部側板、９…あおり板、１０…天板、１１…内部壁、１２…外部壁、１３…縦リブ、１４…袋形状部、１５…水抜き孔、１６…水勾配、１７ａ，１７ｂ…上縁フランジ部、１８ａ，１８ｂ…切欠き
【図１】
0003557914.tif 000002
【図２】
0003557914.tif 000003
【図３】
0003557914.tif 000004
【図４】
0003557914.tif 000005